(57)【要約】【課題】一箇所のゲートで１枚の扉に、１ドア２ロックや３ロックのように複数の錠を取り付ける事が増えている。犯罪が増加し、凶悪化している為に扉の防犯性を高める為である。しかし電気を使って動かす電気錠でないかぎり複数の錠を連動させて一つの操作だけで動かす錠は見られない。今後は１枚の扉により多くの錠や防犯機器を取り付ける事が多くなると思われる。その為にも電気を使わなくても錠や防犯機器を一つの操作でまとめて操作できるものが求められる。【解決手段】複数の錠を連動させる為に、従来の本締り錠の機能に加えてダルマの形を耳状の２つのカムを持つウサギダルマに代え、ウサギダルマと他の錠を連動させるスライダーを設ける事で、複数の錠を連動させた時の親錠としても子錠としても使用でき、他の錠と連結しないで単独でも使用できる連錠機構を提供する。【選択図】　図１
2004076417.tif 000002
【特許請求の範囲】
【請求項１】
錠ケース（４）に、デットボルト（３）を有し、デットボルトを施錠状態で固定するロッキングバー（５）を有し、デットボルトを出し入れする為のシリンダーやサムターンを組み合わせるとともに他の錠と連動させるウサギダルマ（１５）を有し、他の錠と連結してウサギダルマと連動させる為の上下端にジョイント（６）（１３）を設けたスライダー（１０）を有する錠で、スライダーのジョイントに連結ロット棒を繋ぎ、連結ロット棒に他の錠を繋いで他の錠と連動させてデットボルトの出し入れができる事が特徴の連錠機構。
【請求項２】
スライダーと連結カムシャフトに代えてジョイント（５５）を有する連結バー（５４）で他の錠と連結してウサギダルマ（５２）と連動させる請求項１記載の連錠機構。
【請求項３】
錠ケースに組み付けたシリンダーやサムターンの動きをデットボルトに伝えるダルマで、デットボルトの出し入れをする為のデットカム（８）と他の錠と連動させる為の連動カム（９）の２個のカムをウサギの耳状に有する請求項１記載の錠に使用するウサギダルマ。
【請求項４】
シリンダーやサムターンを組み合わせる機能を無くし、子錠専用とした請求項１記載の連錠機構。
【発明の詳細な説明】
【０００１】
【発明の属する技術分野】
複数の錠を連動させて施解錠を行なう錠に関する。
【０００２】
【従来の技術】
従来は複数の錠を連動させる方法として電気で錠を動かす電気錠があるが、電気を使わずに連動させる錠は見られない。
一つのゲートで、１ドア２ロックや１ドア３ロックのように１枚の扉に複数の錠を取り付けた場合に、それらの錠を連動させて、一つの操作だけで複数の錠を動かすものは見られない。その為に取り付けた錠の数だけ操作しているのが現状である。
外見的に似たもので、中間締りの付いたグレモン錠の中間締りがある。その中間締りと本発明の連錠との違いを説明する。
連錠は１個の独立した錠として機能し、他の錠と連結した時に親錠として機能するだけでなく子錠としても機能させる事ができる非常に汎用性の大きい錠である。他の錠と連結する時は他の錠にも連結機能が必要である。中間締りはデットボルトにあたるものに、親錠と切り離した時に施錠時の固定機能が無く、シリンダーやサムターンを組み付ける機能が無い為に特定のグレモン錠と組み合わせた時にのみ補助デットボルトとして機能する。その為に中間締りは単独で使用できず、親錠として使用できない。単なるグレモン錠の部品にすぎない。
【０００３】
【発明が解決しようとする課題】
犯罪が増加し、また凶悪化している現状において防犯は重要な課題である。扉の防犯強度を高める為には１枚の扉に複数の錠を取り付ける事が有効である。しかし複数の錠を取り付けた場合には取り付けた数だけ錠の施錠と解錠操作が必要になる。複数の錠の操作は急いでいる時は煩わしいものであり、時には操作漏れも発生する。１枚の扉に取り付けた複数の錠を電気を使わずに連動させて施錠解錠させる事が課題である。
【０００４】
【課題を解決するための手段】
発明のポイントとして、複数の錠を連動させる時に親錠としても子錠としても使える事、独立して１個の錠としても使える事を基本とした。
使用する扉の条件や使用条件で操作が重くなる事が考えられる時は、以前特許申請をした特願２００２−１５３３４４・レバーハンドル錠機構を持つ錠、を親錠として使用する事で解決できる。
他の錠と連動させる時は、自らを親錠とした時にシリンダーやサムターンの動きをデットボルトに伝えると同時に他の錠に伝えなければならない。また、子錠として使う時は他の錠の動きを受けて連動しなければならない。その為に、錠ケース内に、シリンダーと組み合わせると同時に他の錠と連動させる為２本の耳状のカムを持つウサギダルマを組み込んだ。ウサギダルマのデットカムでデットボルトを動かし、連動カムで他の錠と連動させるようにした。連動カムには他の錠と連結する為のスライダー又は連結バーを組み付けた。
親錠としても子錠としても使えるように取手の無い本締り錠形式とした。親錠として使用する時は取手としての空錠等を別に設ける必要がある。子錠として使う時はシリンダーやサムターンを設けず、すべて親錠の操作で動かす。
【０００５】
【発明の実施の形態】
発明の連錠は従来の一般的な本締り錠を基本に、それを他の錠と連動できるように工夫したものである。その為にまず一般的な本締り錠の構造を説明する。
図８が従来の一般的な構造を示す図である。ダルマ（６５）のテールピース受け（６６）にシリンダーの軸のテールピースやサムターンの軸を組み合わせる事でシリンダーやサムターンを錠ケースに取り付ける。操作は、キーやサムターンを回すとダルマのデットカム（６７）が回り、デットボルト（６２）を動かす。同時にデットカムはロックピン　（６８）を動かし、施錠時にはロッキングバー（６４）がデットボルトを固定し、解錠する時はロックピンを押し上げてデットボルトを引込める。
【０００６】
請求項１記載の連錠機構を持つ錠を図１，２，３，４で説明する。従来の本締り錠と違う所は、ダルマのカムをデットカム（８）のほかに連動カム（９）を設けて他の錠と連動カムで連動させる。この２つのカムをウサギの耳状に持つダルマが請求項３記載のウサギダルマであり、他の錠との連動を可能にしたウサギダルマである。ウサギダルマの連動カムは錠ケース内に設けた、上下にジョイント（６）（１３）を持つスライダー（１０）に連結カムシャフト（１１）を使って連結する。他の錠との連結はスライダーの上下のどちらか、または両方に連結ロット棒を繋いでロット棒の先に他の錠を連結する。従来は他の錠との連結機能を有する錠が無く、発明の連錠同士か先に特許申請をした特願２００２−１５３３４４・レバーハンドル錠機構を持つ錠、を親錠として連結して使用する。
【０００７】
連錠機構の構造的な特徴は従来の本締り錠に他の錠と連動させる為の機構を組み足したものであり、それがダルマに連動カムを付け足し、上下にジョイントを持つスライダーを設け、連結カムシャフトを介して連動カムとスライダーを連結したものである。
図５が連動カム（４２）とスライダー（４３）を直接連結した変形例である、図６がそれに加えてデットカムでのデットボルトの出し入れを助ける為に、デットカム（４６）とデットボルトをデットカムシャフト（４８）を介して連結した変形例である。
【０００８】
錠ケース内にスライダーを設けないで、簡単な構造で他の錠と連結するのが図７で示した、スライダーを連結バー（５４）に代えた請求項２記載の機構である。連結バーは錠ケースの上下に設けても良いが、図のように片側だけ設けた時は連結バーの有る側にしか他の錠を連結できない。図では下方に他の錠と組み合わせる場合であり、上方に組み合わせる時は連錠の上下を逆にすれば良い。
請求項１と２記載の機構とも、複数の錠を連結して親錠として使用する時と単独で使用する時はシリンダーやサムターンを組み付け、複数の錠を連結して子錠として使用する時はシリンダーやサムターンは組み付けない。親錠とした時は子錠側にシリンダーやサムターンを組み付けない。
【０００９】
【発明の効果】
近年はゲートの防犯性を高める為に１枚の扉に主錠と補助錠を取り付けるだけでなくドアガード錠を取り付ける事も多い。今後はコジ開け防止用の錠や信号を発する錠などのより多くの錠が増える事が考えられる。その為にはそれぞれの錠を個々に操作するのではなく、まとめて１つの操作で行なえる便利さが必要となる。
その時にドアガード錠や他の種類の錠にも本発明の連錠の機構が利用できる。
【図面の簡単な説明】
【図１】連錠のケース蓋を取った斜視図である。
【図２】連錠にシリンダーをセットして蓋の半分を切り取った斜視図である。
【図３】連錠を扉に取り付けた状態の図２のＢＢ断面にあたる図で、シリンダー周囲を示す。
【図４】Ａ．図１のＡＡ断面で、解錠状態を示す。Ｂ．施錠状態を示す。
【図５】連結カムシャフトを無くし、ウサギダルマの連動カムをスライダーの軸受けに組み合わせた変形例である。
【図６】Ａ．図５の変形例で、デットボルトとウサギダルマのデットカムをデットカムシャフトを介して連結した錠であり、解錠状態を示す。Ｂ．施錠状態を示す。
【図７】連結カムシャフトとスライダーに代えて、ダルマの連動カムに他の錠と連結する為の連結バーを組み付けた請求項２記載の錠を示す。
【図８】従来の補助錠に使用する本締り錠の一般的な構造を示す図である。
【符号の説明】
１．　錠フロントプレート
２．　錠フロント
３．　デットボルト
４．　錠ケース
５．　ロッキングバー
６．　上ジョイント
７．　ロックピン
８．　デットカム
９．　連動カム
１０．　スライダー
１１．　連結カムシャフト
１２．　軸受け
１３．　下ジョイント
１４．　テールピース受け
１５．　ウサギダルマ
１６．　内側固定ピン穴
１７．　内側固定ピン
１８．　外側固定ピン
１９．　錠ケース蓋
２０．　シリンダー
２１．　シリンダー内筒
２２．　鍵穴
２３．　化粧リング
２４．　テールピース
２５．　化粧リング
２６．　サムターンツマミ
２７．　サムターン
２８．　サムターン軸
２９．　扉内側面
３０．　扉外側面
３１．　連結ロット棒
４１．　　　　　　ウサギダルマ
４２．　　　　　　連動カム
４３．　　　　　　スライダー
４４．　　　　　　軸受け
４５．　　　　　　ウサギダルマ
４６．　　　　　　デットカム
４７．　　　　　　スライダー
４８．　　　　　　デットカムシャフト
４９．　　　　　　軸受け
５１．　　　　　　デットボルト
５２．　　　　　　ウサギダルマ
５３．　　　　　　連動カム
５４．　　　　　　連結バー
５５．　　　　　　ジョイント
５６．　　　　　　連結ロット棒
６１．　　　　　　錠フロント
６２．　　　　　　デットボルト
６３．　　　　　　錠ケース
６４．　　　　　　ロッキングバー
６５．　　　　　　ダルマ
６６．　　　　　　テールピース受け
６７．　　　　　　デットカム
６８．　　　　　　ロックピン
【図１】
2004076417.tif 000003
【図２】
2004076417.tif 000004
【図３】
2004076417.tif 000005
【図４】
2004076417.tif 000006
【図５】
2004076417.tif 000007
【図６】
2004076417.tif 000008
【図７】
2004076417.tif 000009
【図８】
2004076417.tif 000010